(57)【特許請求の範囲】
【請求項１】
展開形状において横方向に縦折り罫を介して連接され筒状に折られる４枚の胴部パネルと、これら４枚の胴部パネルの上下に横折り罫を介し連接されそれぞれ内方に折り込まれる各４枚の蓋パネルとをもって箱本体が形成され、前記内方に折り込まれた蓋パネルのうち、外側に重なる２枚の外側蓋パネルがその突き合わせ端部間に所定の隙間をあけて折り込まれ、該２枚の外側蓋パネルの突き合わせ端部を跨ぐようにして、該突き合わせ端部から胴部パネルに至るまで粘着テープが接着されることにより封止される段ボール箱において、
前記２枚の外側蓋パネルの上面で突き合わせ端部の端縁に沿って設けられた狭幅の細長い領域と、前記２枚の内側蓋パネルの上面に設けられた前記粘着テープと少なくとも接触する面を内包する領域とが、前記粘着テープの粘着剤に対して非接着性部となっており、且つ、前記２枚の外側蓋パネルに設けられた非接着性部となる狭幅の細長い領域の幅の合計寸法に前記２枚の外側蓋パネルの前記突き合わせ端部間の隙間寸法を加えた寸法が、前記粘着テープの幅寸法よりも短く設定され、前記２枚の外側蓋パネルに設けられた非接着性部となる狭幅の細長い領域が、該２枚の外側蓋パネルの突き合わせ端部に跨って接着された粘着テープの幅中に位置していることを特徴とする段ボール箱。
【請求項２】
前記粘着テープは、粘着テープの粘着剤塗布面側の中央部が、粘着テープの長手方向に沿って前記２枚の外側蓋パネルの突き合わせ端部間の隙間より広幅の非接着性部となっており、該非接着性部は粘着剤が塗布されないことにより形成されていることを特徴とする請求項１に記載の段ボール箱。
【発明の詳細な説明】
【０００１】
【発明の属する技術分野】
本発明は、例えば液体用紙容器用として胴張りされて平坦に折り畳まれているカートンブランクを重ねて多数枚収容した状態で、カートン自動供給装置に備えたカッターにより自動的に開封されるのに好適な段ボール箱に関する。
【０００２】
【従来の技術】
この種の段ボール箱は、例えば前記のカートンブランクの包装に用いられたとき、カートンブランクを多数枚収容して飲料充填工場等に送られ、この工場の倉庫で保管され、充填機にカートンブランクを供給する時にカートンブランク自動供給装置に備えたカッターにより自動的に開封される。
【０００３】
図９はカートンブランク自動供給装置に備えたカッターにより開封される従来の段ボール箱を示す斜視図である。同図において、１，２，３，４は横方向に縦折り罫５を介して連接され筒状に折られた４枚の胴部パネル、６は糊代パネル、７，８，９，１０は前記胴部パネル１，２，３，４の縦方向上下に横折り罫１１を介して連接されそれぞれ内方に折り込まれた４枚の蓋パネルであり、７，９はその突き合わせ端部７ａ，９ａ間に所定の隙間Ｓ１をあけて折り込まれた外側蓋パネル、８，１０は外側蓋パネル７，９の内側に折り込まれた内側蓋パネルであって、前記胴部パネル１，２，３，４と蓋パネル７，８，９，１０により箱本体１２が形成されている。そして、この箱本体１２内にカートンブランク１３を収容後、前記蓋パネル７，８，９，１０を内側に折り込んで閉鎖し、その上から前記外側蓋パネル７，９の突き合わせ端部７ａ，９ａを跨ぐようにして、該突き合わせ端部７ａ，９ａから胴部パネル２，４に至るまで粘着テープ１４を接着して封止するようになっている。
【０００４】
上記のように構成された段ボール箱は、カートンブランク自動供給装置に備えられたカッター（図示せず）により、図１０に示すように外側蓋パネル７，９の突き合わせ端部７ａ，９ａ間にあけられている隙間Ｓ１の中央に位置して前記外側蓋パネル７，９の突き合わせ端部７ａ，９ａを跨ぐように接着している粘着テープ１４を切断ラインＣ１として示すように切断するとともに、内側パネル８，１０上で且つ横折り罫１１の近傍で該横折り罫１１と平行に前記粘着テープ１４の上下を切断ラインＣ２，Ｃ３として示すように切断し、蓋パネル７，８，９，１０を押し広げて開封する（図１１）。
【０００５】
【発明が解決しようとする課題】
前記のカートンブランクを収容した段ボール箱は、収容したカートンブランク１３に押されて内側蓋パネル８，１０がやや開き気味となり、粘着テープ１４の切断ラインＣ１，Ｃ２，Ｃ３の空間的な位置が、開き気味となる前の状態と比べ外側（図では左側）へ移動することになる（図１２、図１３）。この内側蓋パネル８，１０の開きによる粘着テープ１４の切断ラインＣ１，Ｃ２，Ｃ３の空間的な位置の移動に対してはカッターの位置を調整することにより対処するとしても、前記内側蓋パネル８，１０の開き度合いは必ずしも一定でないため内側蓋パネル８，１０の開き度合い如何によっては、切断ラインＣ１，Ｃ２，Ｃ３で粘着テープ１４をカッターにより切断しようとしたとき、カッターが所定の位置よりも深く入り込み、カッターの刃が粘着テープ１４を内側蓋パネル８，１０に押し付け、その粘着剤塗布面を内側蓋パネル８，１０に接着させてしまう場合がある。この現象はしばしば生じ、カッターが粘着テープ１４を切断しても粘着テープ１４をその切断ラインＣ１，Ｃ２，Ｃ３から上下に、或いは左右に分離できなくなり、自動的な開封ができない場合がある。
【０００６】
また、前記カートンブランクを収容した段ボール箱が保管時に、図１４に示すように、外側蓋パネル７，９が上下方向に位置するように置かれて（以下横置きという）積み重ねられたとき、最上段以外の段ボール箱は押し潰されて、図１５に示すように、上下方向に位置する外側蓋パネル７，９の突き合わせ端部７ａ，９ａ間の隙間Ｓ１が無くなり、このとき、粘着テープ１４が前記隙間Ｓ１に押し込められ、外側蓋パネル７，９の突き合わせ端部７ａ，９ａの端面に接着してしまう場合がある。そうすると、前記段ボール箱がその外側蓋パネル７，９が左右方向に位置するように置かれて（以下縦置きという）荷重が無くなっても、外側蓋パネル７，９間の隙間Ｓ１は、該隙間Ｓ１を形成する外側蓋パネル７，９の突き合わせ端部７ａ，９ａの端面に粘着テープ１４が接着しているため復活しない。その結果、カッターで粘着テープ１４を切断ラインＣ１で切断しようとしたとき、粘着テープ１４だけではなく、外側蓋パネル７、或いは外側蓋パネル８のいずれかに接着している粘着テープ１４を切断すると共に段ボール箱の素材に切り込むことになるが、カッターは薄い粘着テープ１４を切断するように刃が出してあるため、段ボール箱の素材に切り込んでも外側蓋パネル７，８を分離できず、このような場合も自動的な開封はできなくなる。
【０００７】
また、段ボール箱の開封にあたり、カッターが何度も粘着テープ１４を切断する間に、カッターの刃に粘着テープ１４の粘着剤が付着してしまい、刃の切れ味が悪くなり、切断したはずの粘着テープ１４が綺麗に分離できず、開封できなくなる場合がある。これを防止するためには刃を頻繁に洗浄しなければならず、手間がかかる作業となっている。
【０００８】
本発明の目的は、蓋パネルを接着している粘着テープの切断及び分離を確実なものとし、開封を確実に行えるようにした段ボール箱を提供することにある。
【０００９】
本発明の他の目的は、粘着テープの切断時に、カッターの刃に粘着テープの粘着剤の付着を無くし、開封作業の向上を図れるようにした段ボール箱を提供することにある。
【００１７】
【課題を解決するための手段】
上記の目的を達成するために、請求項１に記載の発明に係る段ボール箱は、展開形状において横方向に縦折り罫を介して連接され筒状に折られる４枚の胴部パネルと、これら４枚の胴部パネルの上下に横折り罫を介し連接されそれぞれ内方に折り込まれる各４枚の蓋パネルとをもって箱本体が形成され、前記内方に折り込まれた蓋パネルのうち、外側に重なる２枚の外側蓋パネルがその突き合わせ端部間に所定の隙間をあけて折り込まれ、該２枚の外側蓋パネルの突き合わせ端部を跨ぐようにして、該突き合わせ端部から胴部パネルに至るまで粘着テープが接着されることにより封止される段ボール箱において、前記２枚の外側蓋パネルの上面で突き合わせ端部の端縁に沿って設けられた狭幅の細長い領域と、前記２枚の内側蓋パネルの上面に設けられた前記粘着テープと少なくとも接触する面を内包する領域とが、前記粘着テープの粘着剤に対して非接着性部となっており、且つ、前記２枚の外側蓋パネルに設けられた非接着性部となる狭幅の細長い領域の幅の合計寸法に前記２枚の外側蓋パネルの前記突き合わせ端部間の隙間寸法を加えた寸法が、前記粘着テープの幅寸法よりも短く設定され、前記２枚の外側蓋パネルに設けられた非接着性部となる狭幅の細長い領域が、該２枚の外側蓋パネルの突き合わせ端部に跨って接着された粘着テープの幅中に位置していることを特徴とする。
【００１８】
このように構成することにより、粘着テープは２枚の外側蓋パネルの突き合わせ端部に沿って設けられた狭幅の細長い領域と２枚の内側蓋パネルの前記粘着テープが接触する面を内包する領域には全く接着しない。従って、収容された内容物の押圧力等により２枚の内側蓋パネルが開き、カッターが所定の位置よりも深く入り込み、カッターの刃が粘着テープを２枚の内側蓋パネルに押し付けても、更には粘着テープに横方向に切断するカッターが押し付けられようと、前記内側蓋パネルと粘着テープとは全く接着することがなく、カッターが粘着テープを横方向に切断すれば粘着テープはそこで完全に上下に分離され、またカッターが粘着テープを縦方向に切断すれば、そこで左右に分離できるので、段ボール箱を確実に開封することができる。
【００１９】
更に、段ボール箱が横置きに積み重ねられて保管されている間に、他の段ボール箱の荷重により、２枚の外側蓋パネルの突き合わせ端部間の隙間に粘着テープが押し込まれるような形で、前記隙間が消失しても、２枚の外側蓋パネルの突き合わせ端部と粘着テープとは接着していないので、前記段ボール箱が前記荷重から解放されると同時に前記隙間が復活し、カッターにより粘着テープの中央部を縦方向に切断、分離することができ、また、その際、内側蓋パネルと粘着テープとは接着していないので、粘着テープの横方向の切断も問題なく行うことができることから、段ボール箱の開封を確実に行うことができる。
【００２０】
請求項２に記載の発明に係る段ボール箱は、請求項１に記載の段ボール箱の粘着テープの粘着剤塗布面側の中央部が、粘着テープの長手方向に沿って前記２枚の外側蓋パネルの突き合わせ端部間の隙間より広幅の非接着性部となっており、前記粘着テープの非接着性部は粘着剤が塗布されないことにより形成されていることを特徴とする。
【００２１】
このようにすることにより、段ボール箱の開封にあたり、カッターで粘着テープを切断したとき、カッターの刃に粘着剤が触れず粘着剤の付着が無いので刃の洗浄の必要が無くなり、作業性が向上する。
【００２２】
【発明の実施の形態】
図１乃至図４は本発明に係る段ボール箱の実施の形態の第一例を、図５、図６は第２例を、図７、図８は第３例を示すものであり、各図において、前述した図９、図１０と対応する部分には同一符号を付して説明する。
【００２３】
（第１例）
図１は本例の段ボール箱の箱本体１２を示す展開図、図２は段ボール箱の開封面側を示す一部省略斜視図、図３、図４は粘着テープ１４の一例を示す拡大断面図である。
【００２４】
本例では、展開形状において横方向に縦折り罫５を介して連接され筒状に折られる４枚の胴部パネル１，２，３，４と、これら４枚の胴部パネル１，２，３，４の上下に横折り罫１１を介して連接されそれぞれ内方に折り込まれる各４枚の蓋パネル７，８，９，１０とを持って箱本体１２が形成されている。
【００２５】
この箱本体１２には、例えばゲーベルトップ型やフラットトップ型の紙容器用のカートンブランク１３が収容され、そして、前記蓋パネル７，８，９，１０がそれぞれ内方に折り込まれ、このうち外側に重なる外側蓋パネル７，９はそれぞれの突き合わせ端部７ａ，９ａの間に所定の隙間Ｓ１をあけて折り込まれて閉鎖され、そして、その上からこの外側蓋パネル７，９はそれぞれの突き合わせ端部７ａ，９ａを跨ぐようにして、該突き合わせ端部７ａ，９ａから胴部パネル２，４に至るまで粘着テープ１４が接着されて封止されている。
【００２６】
前記粘着テープ１４は、その粘着剤塗布面側の中央部が、粘着テープ１４の長手方向に沿って前記外側蓋パネル７，９の突き合わせ端部７ａ，９ａ間の隙間Ｓ１より広幅の非接着性部１５となっている。そして、粘着テープ１４は前記外側蓋パネル７，９の突き合わせ端部７ａ，９ａ間の隙間Ｓ１が非接着性部１５の範囲内に位置するように接着されている。
【００２７】
かかる粘着テープ１４の粘着剤塗布面側における非接着性部１５の形成は、図３に示すようにテープ本体１４ａの粘着剤塗布面側全面に粘着剤１６を塗布したうえで、その上から非接着性部１５の形成部位に剥離剤１７を塗布してもよく、或いは図４に示すように、テープ本体１４ａの粘着剤塗布面に非接着性部１５の形成部位の両側に粘着剤１６を塗布し、非接着性部１５を、粘着剤１６を塗布しないことにより形成してもよく、その構造及び製造方法にあっては特に限定されない。
【００２８】
このように構成された本例の段ボール箱は、段ボール箱に収容している内容物であるカートンブランク１３に押されて内側蓋パネル８，１０の先端が僅かながら外側に開きかけ、カッターが所定の位置よりも深く入り込み、カッターの刃が粘着テープ１４を内側蓋パネル８，１０に押し付けても、粘着テープ１４の粘着剤塗布面側の中央部が、粘着テープ１４の長手方向に沿って非接着性部１５となっているので、内側蓋パネル８，１０と粘着テープ１４の長手方向中央部とは接着することはない。これにより、カッターを押し付けて粘着テープ１４の中央部を切断ラインＣ１に示される長手方向（縦方向）に切断するとき、粘着テープ１４と内側蓋パネル８，１０とが接触しても、切断ラインＣ１付近では接着しないので、そこで粘着テープ１４を確実に切断することができ、粘着テープ１４を左右に分離することができることになり、段ボール箱の開封を確実に行うことができる。
【００２９】
更には、前記段ボール箱が横置きに積み重ねられ、最上段以外の段ボール箱が押し潰されて２枚の外側蓋パネル７，９の突き合わせ端部７ａ，９ａ間の隙間Ｓ１が無くなり、粘着テープ１４が前記隙間Ｓ１に押し込められても、前記隙間Ｓ１を構成する外側蓋パネル７，９の突き合わせ端部７ａ，９ａの端面に粘着テープ１４の接着が無いので、前記段ボール箱の開封に際し、段ボール箱を前記荷重から解放したとき、外側蓋パネル７，９間が開いて両者間の隙間Ｓ１が復活し、これにより、前記粘着テープ１４を前記隙間Ｓ１の中央位置で切断ラインＣ１に示される長手方向（縦方向）に隙間Ｓ１に沿って切断するとき確実に切断することができ、段ボール箱の開封を確実に行うことができる。
【００３０】
また、前記の通り粘着テープ１４にあっては、テープ本体１４ａの粘着剤塗布面側の中央部が非接着性部１５となっているかぎり、特に限定されるものではないが、図４に示すように非接着性部１５が粘着剤１６を塗布しないことにより形成されていれば、段ボール箱の開封にあたり、カッターで粘着テープを切断したとき、カッターの刃に粘着剤１６が触れず粘着剤１６の付着が無いので刃の洗浄の必要が無くなり、作業性が向上する。
【００３１】
（第２例）
図５は本例の段ボール箱の箱本体１２を示す展開図、図６は段ボール箱の開封面側を示す一部省略斜視図である。本例では、前記第１例に示された内方に折り込まれる蓋パネル７，８，９，１０のうち内側蓋パネル８，１０の上面で、前記粘着テープ１４と接触する面を内包する領域が、前記粘着テープ１４の粘着剤１６に対し非接着性部１８となっている。
【００３２】
前記非接着性部１８となる領域にあっては、本例では内側蓋パネル８，１０の上面全面をその領域としているが、この非接着性部１８となる領域は、少なくとも粘着テープ１４と接触する面を内包する領域であれば足りる。また、蓋パネル８，１０の上面における非接着性部１８の形成にあっては、本例では剥離剤を塗布している。
【００３３】
このように構成された本例の段ボール箱は、収容されたカートンブランク１３の押圧力等により、内側蓋パネル８，１０が開き、カッターが所定の位置よりも深く入り込み、カッターの刃が粘着テープ１４を内側蓋パネル８，１０に押し付けても、更には粘着テープ１４に横方向に切断するカッターが押し付けられようと、前記内側蓋パネル８，１０と粘着テープ１４とは全く接着することがなく、カッターが粘着テープ１４を切断ラインＣ２，Ｃ３に示される横方向に切断すれば粘着テープ１４はそこで完全に上下に分離され、これにより粘着テープ１４は殆ど完全に分離することができることになり、段ボール箱の開封を確実に行うことができる。
【００３４】
（第３例）
図７は本例の段ボール箱の箱本体１２を示す展開図、図８は段ボール箱の開封面側を示す一部省略斜視図である。
【００３５】
本例の段ボール箱は、箱本体１２の構成及びその開口部を閉鎖する蓋パネル７，８，９，１０が粘着テープ１４で封止される点において第１例と同様である。
【００３６】
本例では、蓋パネル７，８，９，１０のうち外側蓋パネル７，９の上面で、突き合わせ端部７ａ，９ａの端縁に沿って設けられた狭幅の領域が前記粘着テープ１４の粘着剤１６に対し非接着性部１９となっっており、また、内側蓋パネル８，１０の上面で、前記粘着テープ１４と接触する面を内方する領域が前記粘着テープ１４の粘着剤１６に対し非接着性部２０となっている。前記内側蓋パネル８，１０における非接着性部２０となる領域にあっては、本例では、内側蓋パネル８，１０の上面全面をその領域としているが、この非接着性部２０となる領域は、少なくとも粘着テープ１４と接触する面を内包する領域であれば足りる。また前記外側蓋パネル７，９の非接着性部１９及び内側蓋パネル８，１０の非接着性部２０の形成にあっては、本例では剥離剤を塗布している。
【００３７】
更に、前記外側蓋パネル７，９に設けられた非接着性部１９となる狭幅の細長い領域の幅の合計寸法と、外側蓋パネル７，９の突き合わせ端部７ａ，９ａ間の隙間Ｓ１の寸法とを加えた合計寸法が前記粘着テープ１４の幅寸法よりも短く設定されており、外側蓋パネル７，９に設けられた非接着性部１９となる狭幅の細長い領域が、外側蓋パネル７，９の突き合わせ端部７ａ，９ａに跨って接着された粘着テープ１４の幅中に位置している。
【００３８】
前記粘着テープ１４にあっては、本例では、その粘着剤塗布面側の全面に粘着剤が塗布されているものであってもよく、或いは第１例に示す粘着テープ１４のように、粘着剤塗布面側の中央部が、粘着テープ１４の長手方向に沿って前記外側蓋パネル７，９の突き合わせ端部７ａ，９ａ間の隙間Ｓ１より広幅の非接着性部１５となっているものであってもよく、粘着剤塗布面側の中央部が非接着性部１５となっている粘着テープ１４として、例えば図３に示すようにテープ本体１４ａの粘着剤塗布面側全面に粘着剤１６を塗布したうえで、その上から非接着性部１５の形成部位に剥離剤１７が塗布されたものでもよく、或いは図４に示すように、テープ本体１４ａの粘着剤塗布面に非接着性部１５の形成部位の両側に粘着剤１６を塗布し、非接着性部１５を、粘着剤１６を塗布しないことにより形成されたものでもよい。
【００３９】
このように構成された本例の段ボール箱では、粘着テープ１４は外側蓋パネル７，９の突き合わせ端部７ａ，９ａに沿って設けられた狭幅の細長い領域と内側蓋パネル８，１０の前記粘着テープ１４が接触する面を内包する領域には全く接着しない。従って、収容されたカートンブランク１３の押圧力等により内側蓋パネル８，１０が開き、カッターが所定の位置よりも深く入り込み、カッターの刃が粘着テープ１４を内側蓋パネル８，１０に押し付けても、更には粘着テープ１４に横方向に切断するカッターが押し付けられようと、前記内側蓋パネル８，１０と粘着テープ１４とは全く接着することがなく、カッターが粘着テープ１４を切断ラインＣ２，Ｃ３に示される横方向に切断すれば粘着テープ１４はそこで完全に上下に分離され、またカッターが粘着テープ１４を切断ラインＣ１に示される縦方向に切断すれば、そこで左右に分離できるので、段ボール箱を確実に開封することができる。
【００４０】
更に、段ボール箱が横置きに積み重ねられて保管されている間に、他の段ボール箱の荷重により、外側蓋パネル７，９の突き合わせ端部７ａ，９ａ間の隙間Ｓ１に粘着テープ１４が押し込まれるような形で、前記隙間Ｓ１が消失しても、外側蓋パネル７，９の突き合わせ端部７ａ，９ａと粘着テープ１４とは接着していないので、前記段ボール箱が前記荷重から解放されると同時に前記隙間Ｓ１が復活し、カッターにより粘着テープ１４の中央部を切断ラインＣ１に示される縦方向に切断、分離することができ、また、その際、内側蓋パネル８，１０と粘着テープ１４とは接着していないので、粘着テープ１４の切断ラインＣ２，Ｃ３に示される横方向の切断も問題なく行うことができることから、段ボール箱の開封を確実に行うことができる。
【００４１】
また、前記の通り粘着テープ１４にあっては、テープ本体１４ａの粘着剤塗布面側の中央部が非接着性部１５となっている場合、粘着テープ１４の切断ラインＣ１，Ｃ２，Ｃ３における粘着テープ１４と外側蓋パネル７，９及び内側蓋パネル８，１０とに接着がないので、切断ラインＣ１，Ｃ２，Ｃ３における粘着テープ１４の切断がより確実に行え、更に、図４に示すように非接着性部１５が粘着剤１６を塗布しないことにより形成されていれば、段ボール箱の開封にあたり、カッターで粘着テープを切断したとき、カッターの刃に粘着剤が触れず粘着剤の付着が無いので刃の洗浄の必要が無くなり、作業性が向上する。
【００４２】
【発明の効果】
以上のように本発明に係る段ボール箱によれば、例えばカートンブランク自動供給装置に備えたカッターによる開封に際し、カッターにより蓋パネルに接着されている粘着テープだけを切断することができ且つそれによって粘着テープを上下或いは左右に分離できるので、段ボール箱の開封を確実に行うことができる。
【００４３】
しかも、前記粘着テープの粘着剤塗布面側の中央部の非接着性部が粘着剤を塗布しないことにより形成されている場合は、粘着テープの切断の際、粘着剤がカッターの刃に殆ど付着しないので、カッターの刃を洗浄する手間が省け作業性が向上するといった効果がある。
【図面の簡単な説明】
【図１】本発明に係る段ボール箱の実施の形態の第１例の箱本体を示す展開図である。
【図２】本発明に係る段ボール箱の実施の形態の第１例の開封面側を示す一部省略斜視図である。
【図３】粘着テープの一例を示す拡大断面図である。
【図４】粘着テープの他例を示す拡大断面図である。
【図５】本発明に係る段ボール箱の実施の形態の第２例の箱本体を示す展開図である。
【図６】本発明に係る段ボール箱の実施の形態の第２例の開封面側を示す一部省略斜視図である。
【図７】本発明に係る段ボール箱の実施の形態の第３例の箱本体を示す展開図である。
【図８】本発明に係る段ボール箱の実施の形態の第３例の開封面側を示す一部省略斜視図である。
【図９】従来の段ボール箱を示す斜視図である。
【図１０】段ボール箱の開封面における粘着テープの切断ラインを示す説明図図である。
【図１１】段ボール箱の開封状態を示す斜視図である。
【図１２】内容物を収納した段ボール箱を粘着テープの中心を縦方向に切断する線で切断した一部拡大断面図である。
【図１３】内容物を収納した段ボール箱を、粘着テープを横切る方向に切断する線で切断した一部拡大断面図である。
【図１４】横置きされて２枚の外側蓋パネル間の隙間が消失した段ボール箱を示す斜視図である。
【図１５】図１４のＡ−Ａ線における一部拡大断面図である。
【符号の説明】
１，２，３，４  胴部パネル
５  縦折り罫
６  糊代パネル
７  外側蓋パネル
７ａ  突き合わせ端部
８  内側パネル
９  外側蓋パネル
９ａ  突き合わせ端部
１０  内側蓋パネル
１１  横折り罫
１２  箱本体
１３  カートンブランク
１４  粘着テープ
１４ａ  テープ本体
１５  非接着部
１６  粘着剤
１７  剥離剤
１８，１９，２０  非接着部
Ｓ１  隙間
Ｃ１，Ｃ２，Ｃ３  切断ライン
【図１】
0003723027.tif 000002
【図２】
0003723027.tif 000003
【図３】
0003723027.tif 000004
【図４】
0003723027.tif 000005
【図５】
0003723027.tif 000006
【図６】
0003723027.tif 000007
【図７】
0003723027.tif 000008
【図８】
0003723027.tif 000009
【図９】
0003723027.tif 000010
【図１０】
0003723027.tif 000011
【図１１】
0003723027.tif 000012
【図１２】
0003723027.tif 000013
【図１３】
0003723027.tif 000014
【図１４】
0003723027.tif 000015
【図１５】
0003723027.tif 000016